(57)【要約】      （修正有）【課題】ラインの抵抗による電圧降下による輝度不均一を最小化し、高電位電圧と低電位電圧それぞれの供給の容易な有機発光表示装置を提供する。【解決手段】ゲートラインとデータライン及び高電位電圧ラインに接続された画素回路、及び画素回路に接続されたアノード電極と低電位電圧が供給されるカソード電極層の間に形成された発光セルを有する複数の画素を含む表示パネル。表示パネルは、高電位電圧ラインに連結された第１パッド部に接続され高電位電圧ラインに高電位電圧を供給する複数の第１軟性回路フィルム、複数の第１軟性回路フィルムそれぞれに実装された複数の第１駆動集積回路、カソード電極層に連結された表示パネルの第２パッド部に接続されカソード電極層に低電位電圧を供給する複数の第２軟性回路フィルム、及び複数の第２軟性回路フィルムそれぞれに実装された複数の第２駆動集積回路を含んで構成される。【選択図】図２
2014086413.tif 000002
【特許請求の範囲】
【請求項１】
ゲートラインとデータライン及び高電位電圧ラインに接続された画素回路、及び上記画素回路に接続されたアノード電極と低電位電圧が供給されるカソード電極層の間に形成された発光セルを有する複数の画素を含む表示パネル;
上記高電位電圧ラインに連結された上記表示パネルの第1パッド部に接続され、上記第1パッド部を通じて上記高電位電圧ラインに高電位電圧を供給する複数の第1軟性回路フィルム;
上記複数の第1軟性回路フィルムそれぞれに実装された複数の第1駆動集積回路;
上記カソード電極層に連結された上記表示パネルの第2パッド部に接続され、上記第2パッド部を通じて上記カソード電極層に上記低電位電圧を供給する複数の第2軟性回路フィルム;及び
上記複数の第2軟性回路フィルムそれぞれに実装された複数の第2駆動集積回路を含んで構成されることを特徴とする有機発光表示装置。
【請求項２】
上記第1パッド部は、上記データラインに連結されたデータパッドと上記データラインに並んだ上記高電位電圧ラインに連結された高電位電圧パッドを含み、
上記複数の第1軟性回路フィルムそれぞれは、上記第1駆動集積回路から出力されるデータ信号を上記データパッドに供給し、上記高電位電圧パッドに接続された高電位電圧供給ラインに供給される上記高電位電圧を上記高電位電圧パッドに供給することを特徴とする請求項1に記載の有機発光表示装置。
【請求項３】
上記第2パッド部は、上記ゲートラインに連結されたゲートパッドと上記カソード電極層に電気的に接続される低電位電圧パッドを含み、
上記複数の第2軟性回路フィルムそれぞれは、上記第2駆動集積回路から出力されるゲート信号を上記ゲートパッドに供給し、上記低電位電圧パッドに接続された低電位電圧供給ラインに供給される上記低電位電圧を上記低電位電圧パッドに供給することを特徴とする請求項2に記載の有機発光表示装置。
【請求項４】
上記複数の第1軟性回路フィルムに接続されて上記複数の第1軟性回路フィルムに上記高電位電圧を供給し、上記複数の第1軟性回路フィルムのうち一部と上記表示パネルを通じて上記複数の第2軟性回路フィルムに上記低電位電圧を供給する印刷回路基板をさらに含んで構成されることを特徴とする請求項1〜3のうちいずれか一項に記載の有機発光表示装置。
【請求項５】
上記第1パッド部は、上記高電位電圧パッドの両側に形成されて上記低電位電圧が供給される複数のダミー低電位電圧パッドをさらに含み、
上記複数の第1軟性回路フィルムそれぞれは、上記複数のダミー低電位電圧パッドに接続されたダミー低電位電圧供給ラインに供給される上記低電位電圧を、上記複数のダミー低電位電圧パッドに追加に供給することを特徴とする請求項2に記載の有機発光表示装置。
【請求項６】
上記複数の第1軟性回路フィルムに接続されて上記複数の第1軟性回路フィルムに上記高電位電圧と上記低電位電圧を供給し、上記複数の第1軟性回路フィルムのうち一部と上記表示パネルを通じて上記複数の第2軟性回路フィルムに上記低電位電圧を供給する印刷回路基板をさらに含んで構成されることを特徴とする請求項5に記載の有機発光表示装置。
【請求項７】
上記第1パッド部は、上記ゲートラインに連結されたゲートパッドと上記ゲートラインに並んだ上記高電位電圧ラインに連結された高電位電圧パッドを含み、
上記複数の第1軟性回路フィルムそれぞれは、上記第1駆動集積回路から出力されるゲート信号を上記ゲートパッドに供給し、上記高電位電圧パッドに接続された高電位電圧供給ラインを通じて上記高電位電圧を上記高電位電圧パッドに供給することを特徴とする請求項1に記載の有機発光表示装置。
【請求項８】
上記第2パッド部は、上記データラインに連結されたデータパッドと上記カソード電極層に電気的に接続される低電位電圧パッドを含み、
上記複数の第2軟性回路フィルムそれぞれは、上記第2駆動集積回路から出力されるデータ信号を上記データパッドに供給し、上記低電位電圧パッドに接続された低電位電圧供給ラインに供給される上記低電位電圧を上記低電位電圧パッドに供給することを特徴とする請求項7に記載の有機発光表示装置。
【請求項９】
上記第1パッド部は、上記低電位電圧が供給されるダミー低電位電圧パッドをさらに含み、
上記複数の第1軟性回路フィルムそれぞれは、上記ダミー低電位電圧パッドに接続されたダミー低電位電圧供給ラインに供給される上記低電位電圧を、上記ダミー低電位電圧パッドに追加に供給することを特徴とする請求項7に記載の有機発光表示装置。
【請求項１０】
上記複数の第2軟性回路フィルムに接続されて上記複数の第2軟性回路フィルムに上記低電位電圧を供給し、上記複数の第2軟性回路フィルムのうち一部と上記表示パネルを通じて上記複数の第1軟性回路フィルムに上記高電位電圧と上記低電位電圧を供給する印刷回路基板をさらに含んで構成されることを特徴とする請求項9に記載の有機発光表示装置。
【請求項１１】
上記表示パネルは、上記複数の第2軟性回路フィルムそれぞれから上記低電位電圧パッドに供給される上記低電位電圧を上記カソード電極層に供給する複数のカソード接続部をさらに含み、
上記複数のカソード接続部それぞれは、
上記カソード電極層の縁部部分に重畳するように上記低電位電圧パッドに連結された低電位電圧電極;及び
上記カソード電極層の縁部部分と上記低電位電圧電極を電気的に接続させるためのカソードコンタクトホールを含んで構成されることを特徴とする請求項3または8に記載の有機発光表示装置。
【請求項１２】
上記表示パネルは、上記複数の第1軟性回路フィルムそれぞれから上記ダミー低電位電圧パッドに供給される上記低電位電圧を上記カソード電極層に供給する複数のダミーカソード接続部をさらに含み、
上記複数のダミーカソード接続部それぞれは、
上記カソード電極層の縁部部分に重畳するように上記ダミー低電位電圧パッドに連結されたダミー低電位電圧電極;及び
上記カソード電極層の縁部部分と上記ダミー低電位電圧電極を電気的に接続させるためのダミーカソードコンタクトホールを含んで構成されることを特徴とする請求項5または9に記載の有機発光表示装置。
【請求項１３】
上記複数の第1軟性回路フィルムに上記高電位電圧を供給する第1印刷回路基板;及び
上記複数の第2軟性回路フィルムに上記低電位電圧を供給する第2印刷回路基板をさらに含んで構成されることを特徴とする請求項1〜3、7及び8のうちいずれか一項に記載の有機発光表示装置。
【請求項１４】
上記複数の第1軟性回路フィルムに上記高電位電圧及び上記低電位電圧を供給する第1印刷回路基板;及び
上記複数の第2軟性回路フィルムに上記低電位電圧を供給する第2印刷回路基板をさらに含んで構成されることを特徴とする請求項1、5及び9のうちいずれか一項に記載の有機発光表示装置。
【請求項１５】
上記複数の第2軟性回路フィルムに接続されて上記複数の第2軟性回路フィルムに上記低電位電圧を供給し、上記複数の第2軟性回路フィルムのうち一部と上記表示パネルを通じて上記複数の第1軟性回路フィルムに上記高電位電圧を供給する印刷回路基板をさらに含んで構成されることを特徴とする請求項1、7及び8のうちいずれか一項に記載の有機発光表示装置。
【発明の詳細な説明】
【技術分野】
【０００１】
本発明は、有機発光表示装置に関するものであって、より具体的には、ラインの抵抗による電圧降下による輝度の不均一を最小化し、高電位電圧と低電位電圧それぞれの供給の容易な有機発光表示装置に関するものである。
【背景技術】
【０００２】
最近、平板表示装置はマルチメディアの発達とともにその重要性が増大している。これに応じて液晶表示装置、プラズマ表示パネル、及び有機発光表示装置などのフラットパネルディスプレイが実用化されている。このような平板表示装置のうち、自体発光方式の有機発光表示装置は、高速の応答速度、低い消費電力、高解像度及び大画面を具現できる長所を有するため、次世代の平板表示装置として注目されている。
【０００３】
一般的に従来の有機発光表示装置は、図1に示された通り、表示パネル(10)、複数のゲート駆動部(20)、複数のデータ駆動部(30)、複数の電源供給用軟性回路フィルム(40)、及び印刷回路基板(50)を備える。
【０００４】
表示パネル(10)は、複数の画素(P)とカソード電極層(CE)を含む第1基板(12)、及び第1基板(12)に対向して合着された第2基板(14)を備える。
【０００５】
複数の画素(P)それぞれは、第1基板(12)上に交差するように形成された複数のゲートライン(GL)と複数のデータライン(DL)によって定義される画素領域に形成される。このような複数の画素(P)それぞれは、画素回路(PC)、及び発光セル(EL)を含む。
【０００６】
上記画素回路(PC)は、ゲートライン(GL)とデータライン(DL)及び高電位電圧ライン(PL)に接続される。このような画素回路(PC)は、ゲートライン(GL)に供給されるゲート信号に応答してデータライン(DL)に供給されるデータ信号に対応するデータ電流を発光セル(EL)に供給する。例えば上記画素回路(PC)は、スイッチングトランジスタ(T1)、駆動トランジスタ(T2)、及びキャパシタ(C)を含む。
【０００７】
上記スイッチングトランジスタ(T1)は、ゲートライン(GL)に供給される上記ゲート信号に応じてスイッチングされ、データライン(DL)から供給されるデータ電圧を駆動トランジスタ(T2)に供給する。上記駆動トランジスタ(T2)は、上記スイッチングトランジスタ(T1)から供給されるデータ電圧に応じてスイッチングされ、データ電圧に対応するデータ電流を生成して発光セル(EL)に供給する。上記キャパシタ(C)は、駆動トランジスタ(T2)に供給されるデータ電圧を1つのフレーム間維持させる。
【０００８】
発光セル(EL)は、駆動回路(PC)に接続されたアノード電極(図示せず)及び上記アノード電極と上記カソード電極層(CE)上に形成された有機層(図示せず)を含む。この時、有機層は、正孔輸送層/有機発光層/電子輸送層の構造、または正孔注入層/正孔輸送層/有機発光層/電子輸送層/電子注入層の構造を有するように形成されることができる。さらに、上記有機層は、上記有機発光層の発光効率及び/又は寿命などを向上させるための機能層をさらに含んで構成されることができる。
【０００９】
上記カソード電極層(CE)は、第1基板(12)の縁部を除いた残りの領域全体を覆うように形成され、複数の画素(P)それぞれの発光セル(EL)に接続される。このような上記カソード電極層(CE)は、電源供給用軟性回路フィルム(50)から低電位電圧の供給を受ける。
【００１０】
一方、上記第1基板(12)の非表示領域には、複数のデータパッド部、複数のゲートパッド部、及び複数の電源供給パッド部が設けられている。
【００１１】
複数のデータパッド部それぞれは、上記複数のデータライン(DL)に連結された複数のデータパッドを含んで構成される。
【００１２】
複数のゲートパッド部それぞれは、上記複数のゲートライン(GL)に連結された複数のゲートパッドを含んで構成される。
【００１３】
複数の電源供給パッド部それぞれは、上記複数の高電位電圧ライン(PL)に連結された複数の高電位電圧パッド、及び上記カソード電極層(CE)に連結された複数の低電位電圧パッドを含んで構成される。このような複数の電源供給パッド部それぞれは、複数のデータパッド部間に位置される。
【００１４】
上記第2基板(14)は、ガラスまたは金属材質の平板形態に形成されて第1基板(12)に対向して合着されることによって、第1基板(12)に形成された各画素(P)の発光セル(EL)を水分、酸素などから保護する。この時、上記第2基板(14)は、複数の画素(P)からなる第1基板(12)の表示領域を取り囲むように形成されたシーリング部材(図示せず)によって第1基板(12)の非表示領域に付着される。
【００１５】
上記複数のゲート駆動部(20)それぞれは、第1基板(12)の左側または右側非表示領域に形成された複数のゲートパッド部それぞれに接続され、複数のゲートパッド部それぞれのゲートパッドを通じて上記各ゲートライン(GL)にゲート信号を供給する。このために、複数のゲート駆動部(20)それぞれは、ゲートパッド部に付着されるゲート軟性回路フィルム(22)、及びゲート軟性回路フィルム(22)それぞれに実装されて上記ゲート信号を生成し、生成されたゲート信号をゲート軟性回路フィルム(22)とゲートパッドを通じてゲートライン(GL)に供給するゲート駆動集積回路(24)を含んで構成される。
【００１６】
上記複数のデータ駆動部(30)は、第1基板(12)の上側非表示領域に形成された複数のデータパッド部それぞれに接続され、データパッド部のデータパッドを通じて上記各データライン(DL)にデータ信号を供給する。このために、複数のデータ駆動部(30)それぞれは、データパッド部に付着されるデータ軟性回路フィルム(32)、及びデータ軟性回路フィルム(32)に実装されて上記データ信号を生成し、生成されたデータ信号をデータ軟性回路フィルム(32)とデータパッドを通じてデータライン(DL)に供給するデータ駆動集積回路(34)を含んで構成される。
【００１７】
上記複数の電源供給用軟性回路フィルム(40)それぞれは、上記複数のデータパッド部間に位置するように第1基板(12)の上側非表示領域に形成された複数の電源供給パッド部それぞれに接続される。このような、上記複数の電源供給用軟性回路フィルム(40)それぞれは、電源供給パッド部の高電位電源パッドを通じて上記高電位電源ライン(PL)に高電位電源を供給するとともに、電源供給パッド部の低電位電源パッドを通じて上記カソード電極層(CE)に低電位電源を供給する。
【００１８】
上記印刷回路基板(50)は、前述したデータ駆動部(30)と複数の電源供給用軟性回路フィルム(40)それぞれに接続されてデータ駆動部(30)にデジタル入力データを供給し、複数の電源供給用軟性回路フィルム(40)に高電位電源と低電位電源を供給する。
【００１９】
このような、従来の有機発光表示装置は、表示パネル(10)の上側に設けられた複数の電源供給パッド部が高電位電圧と低電位電圧を供給するため、ラインの抵抗による電圧降下(IR Drop)によって、表示パネル(10)の上側から下側へ行くほど電圧が低くなり輝度が不均一になる問題がある。
【００２０】
そして、従来の有機発光表示装置において、高解像度化の傾向に応じて表示パネル(10)が超高解像度を有する場合、データライン(DL)とゲートライン(GL)及び高電位電圧ライン(PL)それぞれの数が2倍に増加するようになり、これによって複数のデータ駆動部(4)間の空間に前述した複数の電源供給パッド部を形成することができなくなって、上記電源供給用軟性回路フィルム(40)を用いた高電位電圧と低電位電圧それぞれの供給が不可能になる問題がある。
【００２１】
上述した背景技術の内容は、本件出願の発明者が本発明を導き出すために保有していたもの、もしくは本発明を導き出す過程で習得した技術情報であって、必ずしも本発明の出願前に公衆に公開された公知技術であるとはいえない。
【発明の開示】
【発明が解決しようとする課題】
【００２２】
本発明は前述した問題を解決するためのものであって、ラインの抵抗による電圧降下による輝度の不均一を最小化し、高電位電圧と低電位電圧それぞれの供給の容易な有機発光表示装置を提供することを技術的課題とする。
【課題を解決するための手段】
【００２３】
前述した技術的課題を達成するための本発明による有機発光表示装置は、ゲートラインとデータライン及び高電位電圧ラインに接続された画素回路、及び上記画素回路に接続されたアノード電極と低電位電圧が供給されるカソード電極層間に形成された発光セルを有する複数の画素を含む表示パネル;上記高電位電圧ラインに連結された上記表示パネルの第1パッド部に接続され、上記第1パッド部を通じて上記高電位電圧ラインに高電位電圧を供給する複数の第1軟性回路フィルム;上記複数の第1軟性回路フィルムそれぞれに実装された複数の第1駆動集積回路;上記カソード電極層に連結された上記表示パネルの第2パッド部に接続され、上記第2パッド部を通じて上記カソード電極層に上記低電位電圧を供給する複数の第2軟性回路フィルム;及び上記複数の第2軟性回路フィルムそれぞれに実装された複数の第2駆動集積回路を含んで構成されることを特徴とする。
【００２４】
上記第1パッド部は、上記データラインに連結されたデータパッドと上記データラインに並んだ上記高電位電圧ラインに連結された高電位電圧パッドを含み、上記複数の第1軟性回路フィルムそれぞれは、上記第1駆動集積回路から出力されるデータ信号を上記データパッドに供給し、上記高電位電圧パッドに接続された高電位電圧供給ラインに供給される上記高電位電圧を上記高電位電圧パッドに供給することを特徴とする。
【００２５】
上記第2パッド部は、上記ゲートラインに連結されたゲートパッドと上記カソード電極層に電気的に接続される低電位電圧パッドを含み、上記複数の第2軟性回路フィルムそれぞれは、上記第2駆動集積回路から出力されるゲート信号を上記ゲートパッドに供給し、上記低電位電圧パッドに接続された低電位電圧供給ラインに供給される上記低電位電圧を上記低電位電圧パッドに供給することを特徴とする。
【００２６】
上記第1パッド部は、上記高電位電圧パッドの両側に形成されて上記低電位電圧が供給される複数のダミー低電位電圧パッドをさらに含み、上記複数の第1軟性回路フィルムそれぞれは、上記複数のダミー低電位電圧パッドに接続されたダミー低電位電圧供給ラインに供給される上記低電位電圧を、上記複数のダミー低電位電圧パッドに追加に供給することを特徴とする。
【００２７】
上記第1パッド部は、上記ゲートラインに連結されたゲートパッドと上記ゲートラインに並んだ上記高電位電圧ラインに連結された高電位電圧パッドを含み、上記複数の第1軟性回路フィルムそれぞれは、上記第1駆動集積回路から出力されるゲート信号を上記ゲートパッドに供給し、上記高電位電圧パッドに接続された高電位電圧供給ラインを通じて上記高電位電圧を上記高電位電圧パッドに供給することを特徴とする。
【００２８】
上記第2パッド部は、上記データラインに連結されたデータパッドと上記カソード電極層に電気的に接続される低電位電圧パッドを含み、上記複数の第2軟性回路フィルムそれぞれは、上記第2駆動集積回路から出力されるデータ信号を上記データパッドに供給し、上記低電位電圧パッドに接続された低電位電圧供給ラインに供給される上記低電位電圧を上記低電位電圧パッドに供給することを特徴とする。
【００２９】
上記第1パッド部は、上記低電位電圧が供給されるダミー低電位電圧パッドをさらに含み、上記複数の第1軟性回路フィルムそれぞれは、上記ダミー低電位電圧パッドに接続されたダミー低電位電圧供給ラインに供給される上記低電位電圧を、上記ダミー低電位電圧パッドに追加に供給することを特徴とする。
【００３０】
上記表示パネルは、上記複数の第2軟性回路フィルムそれぞれから上記低電位電圧パッドに供給される上記低電位電圧を上記カソード電極層に供給する複数のカソード接続部をさらに含み、上記複数のカソード接続部それぞれは、上記カソード電極層の縁部部分に重畳するように上記低電位電圧パッドに連結された低電位電圧電極;及び上記カソード電極層の縁部部分と上記低電位電圧電極を電気的に接続させるためのカソードコンタクトホールを含んで構成されることを特徴とする。
【００３１】
上記表示パネルは、上記複数の第1軟性回路フィルムそれぞれから上記ダミー低電位電圧パッドに供給される上記低電位電圧を上記カソード電極層に供給する複数のダミーカソード接続部をさらに含み、上記複数のダミーカソード接続部それぞれは、上記カソード電極層の縁部部分に重畳するように上記ダミー低電位電圧パッドに連結されたダミー低電位電圧電極;及び上記カソード電極層の縁部部分と上記ダミー低電位電圧電極を電気的に接続させるためのダミーカソードコンタクトホールを含んで構成されることを特徴とする。
【００３２】
上記有機発光表示装置は、上記複数の第1軟性回路フィルムに上記高電位電圧を供給する第1印刷回路基板;及び上記複数の第2軟性回路フィルムに上記低電位電圧を供給する第2印刷回路基板をさらに含んで構成されることを特徴とする。
【００３３】
上記有機発光表示装置は、上記複数の第1軟性回路フィルムに上記高電位電圧及び上記低電位電圧を供給する第1印刷回路基板;及び上記複数の第2軟性回路フィルムに上記低電位電圧を供給する第2印刷回路基板をさらに含んで構成されることを特徴とする。
【００３４】
上記有機発光表示装置は、上記複数の第1軟性回路フィルムに接続されて上記複数の第1軟性回路フィルムに上記高電位電圧を供給し、上記複数の第1軟性回路フィルムのうち一部と上記表示パネルを通じて上記複数の第2軟性回路フィルムに上記低電位電圧を供給する印刷回路基板をさらに含んで構成されることを特徴とする。
【００３５】
上記有機発光表示装置は、上記複数の第1軟性回路フィルムに接続されて上記複数の第1軟性回路フィルムに上記高電位電圧と上記低電位電圧を供給し、上記複数の第1軟性回路フィルムのうち一部と上記表示パネルを通じて上記複数の第2軟性回路フィルムに上記低電位電圧を供給する印刷回路基板をさらに含んで構成されることを特徴とする。
【００３６】
上記有機発光表示装置は、上記複数の第2軟性回路フィルムに接続されて上記複数の第2軟性回路フィルムに上記低電位電圧を供給し、上記複数の第2軟性回路フィルムのうち一部と上記表示パネルを通じて上記複数の第1軟性回路フィルムに上記高電位電圧を供給する印刷回路基板をさらに含んで構成されることを特徴とする。
【００３７】
上記有機発光表示装置は、上記複数の第2軟性回路フィルムに接続されて上記複数の第2軟性回路フィルムに上記低電位電圧を供給し、上記複数の第2軟性回路フィルムのうち一部と上記表示パネルを通じて上記複数の第1軟性回路フィルムに上記高電位電圧と上記低電位電圧を供給する印刷回路基板をさらに含んで構成されることを特徴とする。
【発明の効果】
【００３８】
上記課題の解決手段によると、本発明による有機発光表示装置は、駆動集積回路が実装された軟性回路フィルムを通じて各画素に接続される高電位電圧ラインの両側に高電位電圧を供給し、各画素に接続されるカソード電極層の複数領域に低電位電圧を供給することによって、高電位電圧と低電位電圧それぞれを容易に供給することができ、高電位電圧ラインの抵抗による電圧降下による輝度の不均一を最小化できる。
【図面の簡単な説明】
【００３９】
【図１】図１は、従来の有機発光表示装置を概略的に示す図面である。
【図２】図２は、本発明の第1実施例による有機発光表示装置を概略的に示す斜視図である。
【図３】図３は、図２に示された第1基板に接続された複数の第1及び第2軟性回路フィルムを説明するための平面図である。
【図４】図４は、図３に示されたA部分を示す拡大図である。
【図５】図５は、本発明の第2実施例による有機発光表示装置を概略的に示す斜視図である。
【図６】図６は、図５に示されたB部分を示す拡大図である。
【図７】図７は、本発明の第3実施例による有機発光表示装置を概略的に示す斜視図である。
【図８】図８は、図７に示されたC部分を示す拡大図である。
【図９】図９は、本発明の第4実施例による有機発光表示装置を概略的に示す斜視図である。
【図１０】図１０は、図９に示されたD部分を示す拡大図である。
【図１１】図１１は、本発明の第5実施例による有機発光表示装置を概略的に示す斜視図である。
【図１２】図１２は、本発明の第5実施例による有機発光表示装置を概略的に示す平面図である。
【図１３】図１３は、図１２に示されたE部分を示す拡大図である。
【発明を実施するための最良の形態】
【００４０】
以下では、図面を参照して本発明による好ましい実施例を詳細に説明する。
【００４１】
図2は、本発明の第1実施例による有機発光表示装置を概略的に示す斜視図であり、図3は、図2に示された第1基板に接続された複数の第1及び第2軟性回路フィルムを説明するための平面図であり、図4は、図3に示されたA部分を示す拡大図である。
【００４２】
図2〜図4を参照すると、本発明の第1実施例による有機発光表示装置は、表示パネル(110)、複数の第1軟性回路フィルム(120)、複数の第1駆動集積回路(130)、複数の第2軟性回路フィルム(140)、及び複数の第2駆動集積回路(150)を含んで構成される。
【００４３】
上記表示パネル(110)は、複数の画素(P)とカソード電極層(CE)を含む第1基板(12)、及び第1基板(12)に対向して合着された第2基板(14)を含んで構成される。
【００４４】
複数の画素(P)それぞれは、第1基板(12)上に交差するように形成された複数のゲートラインと複数のデータラインによって定義される画素領域に形成される。このような複数の画素(P)それぞれは、図1に示されたように、画素回路(PC)、及び発光セル(EL)を含んで構成される。
【００４５】
上記画素回路(PC)は、ゲートライン(GL)とデータライン(DL)に接続されるとともに、データライン(DL)に隣接するように並んだ高電位電圧ライン(PL)に接続される。このような画素回路(PC)は、ゲートライン(GL)に供給されるゲート信号に応答してデータライン(DL)に供給されるデータ信号に対応するデータ電流を発光セル(EL)に供給する。
【００４６】
一実施例による画素回路(PC)は、スイッチングトランジスタ(T1)、駆動トランジスタ(T2)、及びキャパシタ(C)を含む。
【００４７】
上記スイッチングトランジスタ(T1)は、ゲートライン(GL)に供給される上記ゲート信号に応じてスイッチングされ、データライン(DL)から供給されるデータ電圧を駆動トランジスタ(T2)に供給する。上記駆動トランジスタ(T2)は、上記スイッチングトランジスタ(T1)から供給されるデータ電圧に応じてターン-オンされ、高電位電圧ライン(PL)に供給される高電位電圧を用いてデータ電圧に対応するデータ電流を発光セル(EL)に供給する。上記キャパシタ(C)は、駆動トランジスタ(T2)に供給されるデータ電圧を1フレーム間維持させる。
【００４８】
各画素(P)の上記画素回路(PC)では、駆動トランジスタ(T2)の駆動時間に応じて駆動トランジスタ(T2)のしきい値電圧偏差が発生し、これによって画質が低下することがある。そのため、他の実施例による画素回路(PC)は、駆動トランジスタ(T2)のしきい値電圧を補償するための補償回路(図示せず)をさらに含んで構成されることができる。
【００４９】
上記補償回路は、上記画素回路(PC)の内部に形成された少なくとも1つの補償トランジスタ(図示せず)及び少なくとも1つの補償キャパシタ(図示せず)で構成される。このような上記補償回路は、駆動トランジスタ(T2)のしきい値電圧を検出する検出区間の間、データ電圧と駆動トランジスタ(T2)のしきい値電圧をキャパシタにともに格納する方式で各駆動トランジスタ(T2)のしきい値電圧を補償するようになる。
【００５０】
上記発光セル(EL)は、駆動回路(PC)に接続されたアノード電極(図示せず)及び上記アノード電極と上記カソード電極層(CE)上に形成された有機層(図示せず)を含む。この時、有機層は、正孔輸送層/有機発光層/電子輸送層の構造または正孔注入層/正孔輸送層/有機発光層/電子輸送層/電子注入層の構造を有するように形成されることができる。さらに、上記有機層は、上記有機発光層の発光効率及び/又は寿命などを向上させるための機能層をさらに含んで構成されることができる。
【００５１】
上記カソード電極層(CE)は、図3及び図4の斜線領域のように、第1基板(12)の縁部を除いた残りの領域全体を覆うように形成されて複数の画素(P)それぞれの発光セル(EL)に接続される。このような上記カソード電極層(CE)は、複数の第2軟性回路フィルム(140)から低電位電圧の供給を受ける。
【００５２】
一方、上記第1基板(12)の非表示領域には、複数の第1パッド部(PP1)、複数のカソード接続部(CCP)、及び第2パッド部(PP2)が設けられている。
【００５３】
複数の第1パッド部(PP1)それぞれは、上記複数のデータライン(DL)に連結された複数のデータパッド(DP)、及び上記複数の高電位電圧ライン(PL)に連結された複数の高電位電圧パッド(HP)を含む。このような複数の第1パッド部(PP1)それぞれは、互いに並んだ表示パネル(110)、即ち第1基板(12)の第1及び第2非表示領域に設けられる。例えば、第1非表示領域は第1基板(12)の上側縁部領域であり、第2非表示領域は第1基板(12)の下側縁部領域であることができる。
【００５４】
複数のデータパッド(DP)それぞれは、複数のデータリンクライン(図示せず)を通じて該当するデータライン(DL)に連結される。
【００５５】
複数の高電位電圧パッド(HP)それぞれは、上記複数の高電位電圧ライン(PL)に共通に連結された共通高電位電圧ライン(CPL)に電気的に連結される。これによって上記複数の高電位電圧ライン(PL)それぞれは、複数のデータライン(DL)それぞれに隣接するように並んで形成され、共通高電位電圧ライン(CPL)と高電位電圧パッド(HP)を通じて上記複数の第1軟性回路フィルム(120)から高電位電圧の供給を受ける。
【００５６】
複数のカソード接続部(CCP)それぞれは、カソード電極層(CE)に一部重畳する低電位電圧電極(LE)、及びカソードコンタクトホール(CH)を含む。
【００５７】
低電位電圧電極(LE)は、上記複数の第2軟性回路フィルム(140)それぞれの両側に位置するように表示パネル(110)、即ち第1基板(12)の第3及び第4非表示領域に形成され、その一部がカソード電極層(CE)の縁部部分に重畳する。
【００５８】
カソードコンタクトホール(CH)は、低電位電圧電極(LE)とカソード電極層(CE)の重畳領域に形成され、カソード電極層(CE)が低電位電圧電極(LE)に電気的に接続されるようにする。即ち、カソードコンタクトホール(CH)は、低電位電圧電極(LE)上に形成される薄膜層の一部が除去されて形成される。これによってカソード電極層(CE)は、カソードコンタクトホール(CH)を含む第1基板(12)上に形成され、カソードコンタクトホール(CH)を通じて低電位電圧電極(LE)に電気的に接続される。
【００５９】
複数の第2パッド部(PP2)それぞれは、上記複数のゲートライン(GL)に連結された複数のゲートパッド(GP)、及び複数の低電位電圧パッド(LP)を含む。このような複数の第2パッド部(PP2)それぞれは、互いに並んだ表示パネル(110)、即ち第1基板(12)の第3及び第4非表示領域に設けられる。例えば、第2非表示領域は第1基板(12)の左側縁部領域であり、第4非表示領域は第1基板(12)の右側縁部領域であることができる。
【００６０】
複数のゲートパッド(GP)それぞれは、複数のゲートリンクライン(図示せず)を通じて該当するゲートライン(GL)に連結される。ここで、上記複数のカソード接続部(CCP)それぞれの低電位電圧電極(LE)それぞれは、隣接したゲートリンクラインと電気的に接続されないように隣接した第2パッド部(PP2)間にライン形態に形成されることができるが、形成領域と比抵抗を考慮して三角などの多角形態の平面を有するように形成されることが好ましい。
【００６１】
複数の低電位電圧パッド(LP)それぞれは、上記複数のゲートパッド(GP)を介して並んで形成され、上記複数のカソード接続部(CCP)それぞれの低電位電圧電極(LE)に電気的に連結される。これによって上記複数のカソード接続部(CCP)それぞれは、上記カソード電極層(CE)の縁部部分に一定の間隔を有するように電気的に接続され、低電位電圧パッド(LP)を通じて上記複数の第2軟性回路フィルム(140)から低電位電圧の供給を受ける。
【００６２】
上記第2基板(14)は、ガラスまたは金属材質の平板形態に形成されて第1基板(12)に対向して合着されることによって、第1基板(12)に形成された各画素(P)の発光セル(EL)を水分、酸素などから保護する。この時、上記第2基板(14)は、複数の画素(P)から構成される第1基板(12)の表示領域を取り囲むように形成されたシーリング部材(図示せず)によって、第1基板(12)の非表示領域に付着される。
【００６３】
上記複数の第1軟性回路フィルム(120)それぞれは、高電位電圧ライン(PL)に連結された上記第1パッド部(PP1)に付着され、第1パッド部(PP1)を通じて高電位電圧ライン(PL)の一側及び他側それぞれに高電位電圧を同時に供給する。このために上記複数の第1軟性回路フィルム(120)それぞれには、上記第1パッド部(PP1)の高電位電圧パッド(HP)に電気的に接続される複数の高電位電圧供給ライン(122)が形成されている。
【００６４】
上記複数の第1軟性回路フィルム(120)それぞれは、TCP(Tape Carrier Package)またはCOF(Chip On Flexible BoardまたはChip On Film)からなり、TAB(Tape Automated Bonding)工程によって表示パネル(110)の第1及び第2非表示領域それぞれに形成された上記第1パッド部(PP1)に付着される。これによって上記第1軟性回路フィルム(120)は、第1非表示領域の第1パッド部(PP1)に付着される上側の第1軟性回路フィルムと第2非表示領域の第1パッド部(PP1)に付着される下側の第1軟性回路フィルムに区分されることができる。
【００６５】
このような上記複数の第1軟性回路フィルム(120)それぞれは、外部から供給される高電位電圧を高電位電圧ライン(PL)の一側及び他側に供給することによって、高電位電圧ライン(PL)の抵抗による高電位電圧の電圧降下を最小化する。
【００６６】
上記複数の第1駆動集積回路(130)それぞれは、上記複数の第1軟性回路フィルム(120)それぞれに実装されて画素回路(PC)を駆動する。即ち、上記複数の第1駆動集積回路(130)それぞれは、上記第1軟性回路フィルム(120)を通じて入力されるデジタル入力データとデータ制御信号及び複数の基準ガンマ電圧を用いてデジタル入力データをアナログ形態のデータ信号に生成し、生成されたデータ信号を上記第1軟性回路フィルム(120)と上記第1パッド部(PP1)のデータパッド(DP)を通じて該当するデータライン(DL)に供給する。
【００６７】
この時、上記複数の第1軟性回路フィルム(120)それぞれには、上記複数の高電位電圧供給ライン(122)間に形成されて複数のデータパッド(DP)それぞれに電気的に接続される複数のデータ信号供給ライン(図示せず)、及び外部から供給されるデジタル入力データとデータ制御信号及び複数の基準ガンマ電圧を第1駆動集積回路(130)に供給する複数の信号入力ライン(図示せず)が形成されている。
【００６８】
上記複数の第2軟性回路フィルム(140)それぞれは、上記第2パッド部(PP2)に付着され、第2パッド部(PP2)を通じて複数のカソード接続部(CCP)それぞれの低電位電圧電極(LE)に低電位電圧を供給する。このため上記複数の第2軟性回路フィルム(140)それぞれには、上記第2パッド部(PP2)の低電位電圧パッド(LP)に電気的に接続される複数の低電位電圧供給ライン(142)が形成されている。
【００６９】
上記複数の第2軟性回路フィルム(140)それぞれは、TCPまたはCOFからなり、TAB工程によって表示パネル(110)の第3及び第4非表示領域それぞれに形成された上記第2パッド部(PP2)に付着される。これによって上記第2軟性回路フィルム(140)は、第3非表示領域の第2パッド部(PP2)に付着される上側の第2軟性回路フィルムと第4非表示領域の第2パッド部(PP2)に付着される下側の第2軟性回路フィルムに区分されることができる。
【００７０】
このような上記複数の第2軟性回路フィルム(140)それぞれは、外部から供給される低電位電圧をカソード電極層(CE)の両側に供給することによって、カソード電極層(CE)に供給される低電位電圧の電圧レベルを一定に維持させる。
【００７１】
上記複数の第2駆動集積回路(150)それぞれは、上記複数の第2軟性回路フィルム(140)それぞれに実装されて画素回路(PC)を駆動する。即ち、上記複数の第2駆動集積回路(150)それぞれは、上記第2軟性回路フィルム(140)を通じて入力されるゲート制御信号に応じてゲート信号を生成し、生成されたゲート信号を上記第2軟性回路フィルム(140)と上記第2パッド部(PP2)のゲートパッド(GP)を通じて該当するゲートライン(GL)に順次供給する。
【００７２】
この時、上記複数の第2軟性回路フィルム(140)それぞれには、上記複数の低電位電圧供給ライン(142)間に形成され、複数のゲートパッド(GP)それぞれに電気的に接続される複数のゲート信号供給ライン(図示せず)、及び外部から供給されるゲート制御信号を第2駆動集積回路(150)に供給する複数の信号入力ライン(図示せず)が形成されている。
【００７３】
一方、本発明の第1実施例による有機発光表示装置は、第1及び第2印刷回路基板(160、170)をさらに含んで構成される。
【００７４】
上記第1印刷回路基板(160)は、表示パネル(110)の第1及び第2非表示領域の上記第1パッド部(PP1)に付着された上記複数の第1軟性回路フィルム(120)それぞれに電気的に接続され、上記複数の第1軟性回路フィルム(120)それぞれに高電位電圧を供給する。このために上記第1印刷回路基板(160)には、第1軟性回路フィルム(120)に形成された高電位電圧供給ライン(122)に接続される高電位電圧入力ライン(162)が形成されている。
【００７５】
上記第1印刷回路基板(160)は、外部から供給されるデジタル入力データとデータ制御信号及び複数の基準ガンマ電圧を上記複数の第1駆動集積回路(130)それぞれに供給する。
【００７６】
上記第2印刷回路基板(170)は、表示パネル(110)の第3及び第4非表示領域の上記第2パッド部(PP2)に付着された上記複数の第2軟性回路フィルム(140)それぞれに電気的に接続され、上記複数の第2軟性回路フィルム(140)それぞれに低電位電圧を供給する。このために上記第2印刷回路基板(170)には、第2軟性回路フィルム(140)に形成された低電位電圧供給ライン(142)に接続される低電位電圧入力ライン(172)が形成されている。
【００７７】
このような本発明の第1実施例による有機発光表示装置は、第1駆動集積回路(130)が実装された第1軟性回路フィルム(120)を通じて各画素(P)の高電位電圧ライン(PL)の両側に高電位電圧を供給し、第2駆動集積回路(150)が実装された第2軟性回路フィルム(140)を通じて各画素(P)の発光セル(EL)に共通に接続されたカソード電極層(CE)の両側に低電位電圧を供給することによって、高電位電圧ライン(PL)の抵抗による電圧降下による輝度の不均一を最小化し、高電位電圧と低電位電圧それぞれを容易に供給することができる。
【００７８】
図5は、本発明の第2実施例による有機発光表示装置を概略的に示す斜視図であり、図6は、図5に示されたB部分を示す拡大図である。
【００７９】
図5及び図6を参照すると、本発明の第2実施例による有機発光表示装置は、表示パネル(210)、複数の第1軟性回路フィルム(220)、複数の第1駆動集積回路(230)、複数の第2軟性回路フィルム(240)、及び複数の第2駆動集積回路(350)を含んで構成される。
【００８０】
表示パネル(210)は、複数の画素(P;図2参照)とカソード電極層(CE)を含む第1基板(12)、及び第1基板(12)に対向して合着された第2基板(14;図2参照)を含んで構成される。
【００８１】
複数の画素(P)それぞれは、第1基板(12)上に交差するように形成された複数のゲートラインと複数のデータラインによって定義される画素領域に形成される。このような複数の画素(P)それぞれは、図1に示されたように、画素回路(PC)、及び発光セル(EL)を含んで構成される。
【００８２】
上記画素回路(PC)は、ゲートライン(GL)とデータライン(DL)に接続されるとともに、ゲートライン(GL)に隣接するように並んだ複数の高電位電圧ライン(PL)に接続される。このような画素回路(PC)は、ゲートライン(GL)に供給されるゲート信号に応答してデータライン(DL)に供給されるデータ信号に対応するデータ電流を発光セル(EL)に供給する。
【００８３】
このような上記画素回路(PC)と発光セル(EL)それぞれは、複数の高電位電圧ライン(PL)それぞれがゲートライン(GL)と並ぶようにゲートライン(GL)間に形成されることを除いては前述した本発明の第1実施例による有機発光表示装置と同一であるため、これに関する重複説明は省略することにする。
【００８４】
上記カソード電極層(CE)は、第1基板(12)の縁部を除いた残りの領域全体を覆うように形成されて複数の画素(P)それぞれの発光セル(EL)に接続される。このような上記カソード電極層(CE)は、複数の第2軟性回路フィルム(240)から低電位電圧の供給を受ける。
【００８５】
一方、上記第1基板(12)の非表示領域には、複数の第1パッド部(PP1)、第2パッド部(PP2)、及び複数のカソード接続部(CCP)が設けられている。
【００８６】
複数の第1パッド部(PP1)それぞれは、上記複数のゲートライン(GL)に連結された複数のゲートパッド(GP)、及び上記高電位電圧ライン(PL)に連結された複数の高電位電圧パッド(HP)を含む。このような複数の第1パッド部(PP1)それぞれは、互いに並んだ表示パネル(210)、即ち第1基板(12)の第3及び第4非表示領域に設けられる。例えば、第3非表示領域は第1基板(12)の左側縁部領域であり、第4非表示領域は第1基板(12)の右側縁部領域であることができる。
【００８７】
複数のゲートパッド(GP)それぞれは、複数のゲートリンクライン(図示せず)を通じて該当するゲートライン(GL)に連結される。
【００８８】
複数の高電位電圧パッド(HP)それぞれは、複数のゲートパッド(GP)間に形成されて上記複数の高電位電圧ライン(PL)に電気的に連結される。これによって上記複数の高電位電圧ライン(PL)それぞれは、ゲートライン(GL)と並ぶようにゲートライン(GL)間に形成され、高電位電圧パッド(HP)を通じて上記複数の第1軟性回路フィルム(220)から高電位電圧の供給を受ける。この時、隣接した2つの高電位電源ライン(PL)間には、1つのゲートラインまたは設定された数のゲートラインが形成されていることができる。
【００８９】
複数の第2パッド部(PP2)それぞれは、上記複数のデータライン(DL)に連結された複数のデータパッド(DP)、及び複数の低電位電圧パッド(LP)を含む。このような複数の第2パッド部(PP2)それぞれは、互いに並んだ表示パネル(210)、即ち第1基板(12)の第1及び第2非表示領域に設けられる。例えば、第1非表示領域は第1基板(12)の上側縁部領域であり、第2非表示領域は第1基板(12)の下側縁部領域であることができる。
【００９０】
複数のデータパッド(DP)それぞれは、複数のデータリンクライン(図示せず)を通じて該当するデータライン(DL)に連結される。
【００９１】
複数の低電位電圧パッド(LP)それぞれは、上記複数のデータパッド(DP)を介して並んで形成され、上記複数のカソード接続部(CCP)それぞれに電気的に連結される。
【００９２】
複数のカソード接続部(CCP)それぞれは、上記カソード電極層(CE)の上側と下側の縁部部分に一定の間隔を有するように電気的に接続され、上記第2軟性回路フィルム(240)から低電位電圧パッド(LP)を通じて供給される低電位電圧を上記カソード電極層(CE)の上側と下側の縁部部分に供給する。このために複数のカソード接続部(CCP)それぞれは、カソード電極層(CE)に一部重畳する低電位電圧電極(LE)、及びカソードコンタクトホール(CH)を含む。
【００９３】
低電位電圧電極(LE)は、上記複数の第2軟性回路フィルム(240)それぞれの両側に位置するように表示パネル(210)、即ち第1基板(12)の第1及び第2非表示領域に形成され、その一部がカソード電極層(CE)の縁部部分に重畳する。このような低電位電圧電極(LE)は、隣接したデータリンクラインと電気的に接続されないように隣接した第2パッド部(PP2)間にライン形態に形成されることができるが、形成領域と比抵抗を考慮して三角などの多角形態の平面を有するように形成されることが好ましい。
【００９４】
カソードコンタクトホール(CH)は、低電位電圧電極(LE)とカソード電極層(CE)の重畳領域に形成され、カソード電極層(CE)が低電位電圧電極(LE)に電気的に接続されるようにする。即ち、カソードコンタクトホール(CH)は、低電位電圧電極(LE)上に形成される薄膜層の一部が除去されて形成される。これによってカソード電極層(CE)は、カソードコンタクトホール(CH)を含む第1基板(12)上に形成されてカソードコンタクトホール(CH)を通じて低電位電圧電極(LE)に電気的に接続される。
【００９５】
上記第2基板(14)は、ガラスまたは金属材質の平板形態に形成されて第1基板(12)に対向して合着されることによって、第1基板(12)に形成された各画素(P)の発光セル(EL)を水分、酸素などから保護する。この時、上記第2基板(14)は、複数の画素(P)からなる第1基板(12)の表示領域を取り囲むように形成されたシーリング部材(図示せず)によって第1基板(12)の非表示領域に付着される。
【００９６】
上記複数の第1軟性回路フィルム(220)それぞれは、上記第1パッド部(PP1)に付着され、第1パッド部(PP1)を通じて高電位電圧ライン(PL)の一側及び他側それぞれに高電位電圧を同時に供給する。このために上記複数の第1軟性回路フィルム(220)それぞれには、上記第1パッド部(PP1)の高電位電圧パッド(HP)に電気的に接続される複数の高電位電圧供給ライン(222)が形成されている。このような上記複数の第1軟性回路フィルム(220)それぞれは、TCPまたはCOFからなりTAB工程によって表示パネル(210)の第3及び第4非表示領域それぞれに形成された上記第1パッド部(PP1)に付着される。
【００９７】
このような上記複数の第1軟性回路フィルム(220)それぞれは、外部から供給される高電位電圧を高電位電圧ライン(PL)の一側及び他側に供給することによって、高電位電圧ライン(PL)のライン抵抗による高電位電圧の電圧降下を最小化する。
【００９８】
上記複数の第2軟性回路フィルム(240)それぞれは、上記第2パッド部(PP2)に付着され、第2パッド部(PP2)を通じて複数のカソード接続部(CCP)それぞれの低電位電圧電極(LE)に低電位電圧を供給する。このために上記複数の第2軟性回路フィルム(240)それぞれには、上記第2パッド部(PP2)の低電位電圧パッド(LP)に電気的に接続される複数の低電位電圧供給ライン(242)が形成されている。このような上記複数の第2軟性回路フィルム(240)それぞれは、TCPまたはCOFからなりTAB工程によって表示パネル(210)の第3及び第4非表示領域それぞれに形成された上記第2パッド部(PP2)に付着される。
【００９９】
このような上記複数の第2軟性回路フィルム(240)それぞれは、外部から供給される低電位電圧をカソード電極層(CE)の両側に供給することによって、カソード電極層(CE)に供給される低電位電圧の電圧レベルを一定に維持させる。
【０１００】
上記複数の第1駆動集積回路(230)それぞれは、上記複数の第2軟性回路フィルム(240)それぞれに実装されて画素回路(PC)を駆動する。即ち、上記複数の第1駆動集積回路(230)それぞれは、上記第2軟性回路フィルム(240)を通じて入力されるデジタル入力データとデータ制御信号及び複数の基準ガンマ電圧を用いてデジタル入力データをアナログ形態のデータ信号に生成し、生成されたデータ信号を上記第2軟性回路フィルム(240)と上記第2パッド部(PP2)のデータパッド(DP)を通じて該当するデータライン(DL)に供給する。
【０１０１】
この時、上記複数の第2軟性回路フィルム(240)それぞれには、上記複数の低電位電圧供給ライン(242)間に形成されて複数のデータパッド(DP)それぞれに電気的に接続される複数のデータ信号供給ライン(図示せず)、及び外部から供給されるデジタル入力データとデータ制御信号及び複数の基準ガンマ電圧を第1駆動集積回路(230)に供給する複数の信号入力ライン(図示せず)が形成されている。
【０１０２】
上記複数の第2駆動集積回路(250)それぞれは、上記複数の第1軟性回路フィルム(220)それぞれに実装されて画素回路(PC)を駆動する。即ち、上記複数の第2駆動集積回路(250)それぞれは、上記第1軟性回路フィルム(220)を通じて入力されるゲート制御信号に応じてゲート信号を生成し、生成されたゲート信号を上記第1軟性回路フィルム(220)と上記第1パッド部(PP1)のゲートパッド(GP)を通じて該当するゲートライン(GL)に順次供給する。
【０１０３】
この時、上記複数の第1軟性回路フィルム(220)それぞれには、上記複数の高電位電圧供給ライン(222)間に形成されて複数のゲートパッド(GP)それぞれに電気的に接続される複数のゲート信号供給ライン(図示せず)、及び外部から供給されるゲート制御信号を第2駆動集積回路(250)に供給する複数の信号入力ライン(図示せず)が形成されている。
【０１０４】
一方、本発明の第2実施例による有機発光表示装置は、第1及び第2印刷回路基板(260、270)をさらに含んで構成される。
【０１０５】
上記第1印刷回路基板(260)は、表示パネル(210)の第3及び第4非表示領域の上記第1パッド部(PP1)に付着された上記複数の第1軟性回路フィルム(220)それぞれに電気的に接続され、上記複数の第1軟性回路フィルム(220)それぞれに高電位電圧を供給する。このために上記第1印刷回路基板(260)には、第1軟性回路フィルム(220)に形成された高電位電圧供給ライン(222)に共通に接続される高電位電圧入力ライン(262)が形成されている。
【０１０６】
上記第2印刷回路基板(270)は、表示パネル(210)の第1及び第2非表示領域の上記第2パッド部(PP2)に付着された上記複数の第2軟性回路フィルム(240)それぞれに電気的に接続され、上記複数の第2軟性回路フィルム(240)それぞれに低電位電圧を供給する。このために上記第2印刷回路基板(270)には、第2軟性回路フィルム(240)に形成された低電位電圧供給ライン(242)に接続される低電位電圧入力ライン(272)が形成されている。
【０１０７】
上記第2印刷回路基板(270)は、外部から供給されるデジタル入力データとデータ制御信号及び複数の基準ガンマ電圧を上記複数の第1駆動集積回路(230)それぞれに供給する。
【０１０８】
このような本発明の第2実施例による有機発光表示装置は、第2駆動集積回路(250)が実装された第1軟性回路フィルム(220)を通じて各画素(P)のゲートライン(GL)と並んで形成された高電位電圧ライン(PL)の両側に高電位電圧を供給し、第1駆動集積回路(230)が実装された第2軟性回路フィルム(240)を通じて各画素(P)の発光セル(EL)に共通に接続されたカソード電極層(CE)の両側に低電位電圧を供給することによって、高電位電圧ライン(PL)の抵抗による電圧降下による輝度の不均一を最小化し、高電位電圧と低電位電圧それぞれを容易に供給することができる。
【０１０９】
さらに、本発明の第2実施例による有機発光表示装置は、複数のゲートライン(GL)間に高電位電圧ライン(PL)を形成することによって、本発明の第1実施例による有機発光表示装置に比べて高電位電圧ライン(PL)の数を1/3に減少させることができる。
【０１１０】
図7は、本発明の第3実施例による有機発光表示装置を概略的に示す斜視図であり、図8は、図7に示されたC部分を示す拡大図である。
【０１１１】
図7及び図8を参照すると、本発明の第3実施例による有機発光表示装置は、表示パネル(210)、複数の第1軟性回路フィルム(220)、複数の第1駆動集積回路(230)、複数の第2軟性回路フィルム(240)、及び複数の第2駆動集積回路(250)を含んで構成される。このような構成を有する本発明の第3実施例による有機発光表示装置は、表示パネル(210)に設けられた複数の第1パッド部(PP1)及び第1軟性回路フィルム(220)を除いた残りの構成は前述した本発明の第2実施例による有機発光表示装置と同一であるため、同一の構成に関する説明は省略することにする。
【０１１２】
上記複数の第1パッド部(PP1)それぞれは、上記複数のゲートライン(GL)に連結された複数のゲートパッド(GP)、上記複数の高電位電圧ライン(PL)に連結された複数の高電位電圧パッド(HP)、及び複数のダミー低電位電圧パッド(LP')を含む。このような複数の第1パッド部(PP1)それぞれは、互いに並んだ表示パネル(210)、即ち上記第1基板(12)の第3及び第4非表示領域に設けられる。
【０１１３】
複数のゲートパッド(GP)それぞれは、複数のゲートリンクライン(図示せず)を通じて該当するゲートライン(GL)に連結される。
【０１１４】
複数の高電位電圧パッド(HP)それぞれは、複数のゲートパッド(GP)間に形成され、上記複数の高電位電圧ライン(PL)に電気的に連結される。これによって上記複数の高電位電圧ライン(PL)それぞれは、複数のゲートライン(GL)それぞれと並ぶようにゲートライン(GL)間に形成され、高電位電圧パッド(HP)を通じて上記複数の第1軟性回路フィルム(220)から高電位電圧の供給を受ける。
【０１１５】
複数のダミー低電位電圧パッド(LP')それぞれは、複数のゲートパッド(GP)と複数の高電位電圧パッド(HP)を介して第1パッド部(PP1)の両側に形成される。このような複数のダミー低電位電圧パッド(LP')それぞれは、ダミーカソード接続部(CCP')を通じて一定の間隔を有するように前述したカソード電極層(CE)に電気的に接続される。
【０１１６】
ダミーカソード接続部(CCP')は、上記カソード電極層(CE)の左側及び右側の縁部部分に一定の間隔を有するように電気的に接続され、上記第1軟性回路フィルム(220)からダミー低電位電圧パッド(LP')を通じて供給される低電位電圧を上記カソード電極層(CE)の左側と右側の縁部部分に供給する。このために上記ダミーカソード接続部(CCP')それぞれは、カソード電極層(CE)に一部重畳するダミー低電位電圧電極(LE')、及びダミーカソードコンタクトホール(CH')を含む。このようなダミー低電位電圧電極(LE')、及びダミーカソードコンタクトホール(CH')それぞれは、形成位置を除いては前述した低電位電圧電極(LE)、及びカソードコンタクトホール(CH)それぞれと同一であるため、これに関する説明は省略することにする。
【０１１７】
上記複数の第1軟性回路フィルム(220)それぞれは、上記第1パッド部(PP1)に付着され、第1パッド部(PP1)を通じて高電位電圧ライン(PL)の一側及び他側それぞれに高電位電圧を供給し、同時に複数のダミー低電位電圧パッド(LP')それぞれに低電位電圧を供給する。このために上記複数の第1軟性回路フィルム(220)それぞれには、上記第1パッド部(PP1)の高電位電圧パッド(HP)に電気的に接続される複数の高電位電圧供給ライン(222)とダミー低電位電圧パッド(LP')に電気的に接続される複数の低電位電圧供給ライン(224)が形成されている。このような上記複数の第1軟性回路フィルム(220)それぞれは、TCPまたはCOFからなりTAB工程によって表示パネル(210)の第3及び第4非表示領域それぞれに形成された上記第1パッド部(PP1)に付着される。
【０１１８】
このような上記複数の第1軟性回路フィルム(220)それぞれは、外部から供給される高電位電圧を高電位電圧ライン(PL)の一側及び他側に供給することによって高電位電圧ライン(PL)のライン抵抗による高電位電圧の電圧降下を最小化する。さらに、上記複数の第1軟性回路フィルム(220)それぞれは、外部から供給される低電位電圧をカソード電極層(CE)の左側と右側の縁部部分に追加で供給することによって、カソード電極層(CE)に供給される低電位電圧の電圧レベルをより一定に維持させる。
【０１１９】
即ち、上記低電位電圧は、上記第1軟性回路フィルム(220)によってカソード電極層(CE)の左側と右側の縁部部分に一定の間隔で供給されると同時に、上記複数の第2軟性回路フィルム(240)によってカソード電極層(CE)の上側及び下側の縁部部分に一定の間隔で供給される。これによって、本発明の第3実施例による有機発光表示装置は低電位電圧をカソード電極層(CE)の上側、下側、左側、及び右側の縁部部分に一定の間隔で供給するため、カソード電極層(CE)に供給される低電位電圧の電圧レベルをより一定に維持させることができる。
【０１２０】
一方、本発明の第3実施例による有機発光表示装置は、第1及び第2印刷回路基板(260、270)をさらに含んで構成される。
【０１２１】
上記第1印刷回路基板(260)は、表示パネル(210)の第3及び第4非表示領域の上記第1パッド部(PP1)に付着された上記複数の第1軟性回路フィルム(220)それぞれに電気的に接続され、上記複数の第1軟性回路フィルム(220)それぞれに高電位電圧と低電位電圧を同時に供給する。このために上記第1印刷回路基板(260)には、第1軟性回路フィルム(220)に形成された高電位電圧供給ライン(222)に共通に接続される高電位電圧入力ライン(262)、及び第1軟性回路フィルム(220)に形成された低電位電圧供給ライン(224)に接続される低電位電圧入力ライン(264)が形成されている。
【０１２２】
上記第2印刷回路基板(270)は、表示パネル(210)の第1及び第2非表示領域の上記第2パッド部(PP2)に付着された上記複数の第2軟性回路フィルム(240)それぞれに電気的に接続され、上記複数の第2軟性回路フィルム(240)それぞれに低電位電圧を供給する。このために上記第2印刷回路基板(270)には、第2軟性回路フィルム(240)に形成された低電位電圧供給ライン(242)に接続される低電位電圧入力ライン(272)が形成されている。
【０１２３】
上記第2印刷回路基板(270)は、外部から供給されるデジタル入力データとデータ制御信号及び複数の基準ガンマ電圧を上記複数の第1駆動集積回路(230)それぞれに供給する。
【０１２４】
このような、本発明の第3実施例による有機発光表示装置は、前述した本発明の第2実施例による有機発光表示装置と同一の効果を提供するだけでなく、カソード電極層(CE)に供給される低電位電圧の電圧レベルをより一定に維持させることができる。
【０１２５】
図9は、本発明の第4実施例による有機発光表示装置を概略的に示す斜視図であり、図10は、図9に示されたD部分を示す拡大図である。
【０１２６】
図9及び図10を参照すると、本発明の第4実施例による有機発光表示装置は、表示パネル(110)、複数の第1軟性回路フィルム(120)、複数の第1駆動集積回路(130)、複数の第2軟性回路フィルム(140)、及び複数の第2駆動集積回路(150)を含んで構成される。このような構成を有する本発明の第4実施例による有機発光表示装置は、表示パネル(110)に設けられた複数の第1パッド部(PP1)及び第1軟性回路フィルム(120)を除いた残りの構成が前述した本発明の第1実施例による有機発光表示装置と同一であるため、同一の構成に関する説明は省略することにする。
【０１２７】
上記複数の第1パッド部(PP1)それぞれは、上記複数のデータライン(DL)に連結された複数のデータパッド(DP)、上記複数の高電位電圧ライン(PL)に連結された複数の高電位電圧パッド(HP)、及び複数のダミー低電位電圧パッド(LP')を含む。このような複数の第1パッド部(PP1)それぞれは、互いに並ぶ表示パネル(210)、即ち上記第1基板(12)の第1及び第2非表示領域に設けられる。
【０１２８】
複数のデータパッド(DP)それぞれは、複数のデータリンクライン(図示せず)を通じて該当するデータライン(DL)に連結される。
【０１２９】
複数の高電位電圧パッド(HP)それぞれは、複数のデータパッド(DP)を介して形成されて上記複数の高電位電圧ライン(PL)に共通に連結された共通高電位電圧ライン(CPL)に電気的に連結される。これによって、上記複数の高電位電圧ライン(PL)それぞれは複数のデータライン(DL)それぞれに隣接するように並んで形成され、共通高電位電圧ライン(CPL)と高電位電圧パッド(HP)を通じて上記複数の第1軟性回路フィルム(120)から高電位電圧の供給を受ける。
【０１３０】
複数のダミー低電位電圧パッド(LP')それぞれは、複数の高電位電圧パッド(HP)それぞれを介して形成される。このような複数のダミー低電位電圧パッド(LP')それぞれは、ダミーカソード接続部(CCP')を通じて前述したカソード電極層(CE)の上側と下側の縁部部分に一定の間隔を有するように電気的に接続される。
【０１３１】
複数のダミーカソード接続部(CCP')は、上記カソード電極層(CE)の上側及び下側の縁部部分に一定の間隔を有するように複数の高電位電圧パッド(HP)それぞれの両側に形成される。これによって、複数のダミーカソード接続部(CCP')のうち一部は形成位置に応じて複数の高電位電圧パッド(HP)間に形成されることができ、この場合のダミーカソード接続部(CCP')は、複数のデータパッド(DP)を介して形成された2つのダミー低電位電圧パッド(LP')に共通に連結される。このような複数のダミーカソード接続部(CCP')は、上記第1軟性回路フィルム(120)からダミー低電位電圧パッド(LP')を通じて供給される低電位電圧を上記カソード電極層(CE)の上側と下側の縁部部分に供給する。
【０１３２】
このために上記ダミーカソード接続部(CCP')それぞれは、カソード電極層(CE)に一部重畳するダミー低電位電圧電極(LE')、及びダミーカソードコンタクトホール(CH')を含む。このようなダミー低電位電圧電極(LE')、及びダミーカソードコンタクトホール(CH')それぞれは、形成位置を除いては前述した低電位電圧電極(LE)、及びカソードコンタクトホール(CH)それぞれと同一であるため、これに関する説明は省略することにする。
【０１３３】
上記複数の第1軟性回路フィルム(120)それぞれは、上記第1パッド部(PP1)に付着されて第1パッド部(PP1)を通じて高電位電圧ライン(PL)の一側及び他側それぞれに高電位電圧を供給し、同時に複数のダミー低電位電圧パッド(LP')それぞれに低電位電圧を供給する。このために上記複数の第1軟性回路フィルム(120)それぞれには、上記第1パッド部(PP1)の高電位電圧パッド(HP)に電気的に接続される複数の高電位電圧供給ライン(122)とダミー低電位電圧パッド(LP')に電気的に接続される複数の低電位電圧供給ライン(124)が形成されている。
【０１３４】
このような上記複数の第1軟性回路フィルム(120)それぞれは、TCPまたはCOFからなりTAB工程によって表示パネル(210)の第1及び第2非表示領域それぞれに形成された上記第1パッド部(PP1)に付着される。このような上記複数の第1軟性回路フィルム(120)それぞれは、外部から供給される高電位電圧を高電位電圧ライン(PL)の一側及び他側に供給することによって、高電位電圧ライン(PL)のライン抵抗による高電位電圧の電圧降下を最小化する。さらに、上記複数の第1軟性回路フィルム(120)それぞれは、外部から供給される低電位電圧をカソード電極層(CE)の左側と右側の縁部部分に追加に供給することによって、カソード電極層(CE)に供給される低電位電圧の電圧レベルをより一定に維持させる。
【０１３５】
即ち、上記低電位電圧は、上記第1軟性回路フィルム(120)によってカソード電極層(CE)の左側と右側の縁部部分に一定の間隔で供給されると同時に、上記複数の第2軟性回路フィルム(140)によってカソード電極層(CE)の上側及び下側の縁部部分に一定の間隔で供給される。
【０１３６】
これによって、本発明の第4実施例による有機発光表示装置は低電位電圧をカソード電極層(CE)の上側、下側、左側、及び右側の縁部部分に一定の間隔で供給するため、カソード電極層(CE)に供給される低電位電圧の電圧レベルをより一定に維持させることができる。
【０１３７】
一方、本発明の第4実施例による有機発光表示装置は、第1及び第2印刷回路基板(160、170)をさらに含んで構成される。
【０１３８】
上記第1印刷回路基板(160)は、表示パネル(110)の第1及び第2非表示領域の上記第1パッド部(PP1)に付着された上記複数の第1軟性回路フィルム(120)それぞれに電気的に接続され、上記複数の第1軟性回路フィルム(120)それぞれに高電位電圧と低電位電圧を同時に供給する。このために上記第1印刷回路基板(160)には、第1軟性回路フィルム(120)に形成された高電位電圧供給ライン(122)に接続される高電位電圧入力ライン(162)、及び第1軟性回路フィルム(120)に形成された低電位電圧供給ライン(124)に接続される低電位電圧入力ライン(164)が形成されている。
【０１３９】
上記第1印刷回路基板(160)は、外部から供給されるデジタル入力データとデータ制御信号及び複数の基準ガンマ電圧を上記複数の第1駆動集積回路(130)それぞれに供給する。
【０１４０】
上記第2印刷回路基板(170)は、表示パネル(110)の第3及び第4非表示領域の上記第2パッド部(PP2)に付着された上記複数の第2軟性回路フィルム(140)それぞれに電気的に接続され、上記複数の第2軟性回路フィルム(140)それぞれに低電位電圧を供給する。このために上記第2印刷回路基板(170)には、第2軟性回路フィルム(140)に形成された低電位電圧供給ライン(142)に接続される低電位電圧入力ライン(172)が形成されている。
【０１４１】
このような本発明の第4実施例による有機発光表示装置は、前述した本発明の第1実施例による有機発光表示装置と同一の効果を提供するだけでなく、カソード電極層(CE)に供給される低電位電圧の電圧レベルをより一定に維持させることができる。
【０１４２】
図11は、本発明の第5実施例による有機発光表示装置を概略的に示す斜視図であり、図12は、本発明の第5実施例による有機発光表示装置を概略的に示す平面図であり、図13は、図12に示されたE部分を示す拡大図である。
【０１４３】
図11〜図13を参照すると、本発明の第5実施例による有機発光表示装置は、表示パネル(310)、複数の第1軟性回路フィルム(320)、複数の第1駆動集積回路(330)、複数の第2軟性回路フィルム(340)、複数の第2駆動集積回路(350)、及び印刷回路基板(360)を含んで構成される。このような構成を有する本発明の第5実施例による有機発光表示装置は、前述した本発明の第1実施例による有機発光表示装置において第2印刷回路基板(170)を除去して構成したものである。以下においては、相違する構成についてのみ説明することにする。
【０１４４】
表示パネル(310)は、本発明の第1実施例による有機発光表示装置の表示パネル(110)と同一に構成されるものの、複数の第1パッド部(PP1)のうち両側に配置された最初の第1パッド部と最後の第1パッド部それぞれがダミー低電位電圧パッド(LP')をさらに含んで構成される。この時、上記最初の第1パッド部は最初のデータラインに対応する上記第1及び第2非表示領域の左側領域に形成され、上記最後の第1パッド部は最後のデータラインに対応する上記第1及び第2非表示領域の右側に形成される。
【０１４５】
表示パネル(310)の第1非表示領域に形成された上記ダミー低電位電圧パッド(LP')は、ダミー低電位電圧リンク配線(LLP')を通じて複数の第2パッド部(PP2)のうち最初の第2パッド部の低電位電圧パッド(LP)に連結されるか、最初の第2パッド部の低電位電圧パッド(LP)に連結されたカソード接続層(CCP)の低電位電圧電極(LE)に連結される。この時、最初の第2パッド部は、最初のゲートラインに対応する上記第3及び第4非表示領域の上側の領域に形成される。
【０１４６】
表示パネル(310)の第2非表示領域に形成された上記ダミー低電位電圧パッド(LP')は、ダミー低電位電圧リンク配線(LLP')を通じて複数の第2パッド部(PP2)のうち最後の第2パッド部の低電位電圧パッド(LP)に連結されるか、最後の第2パッド部の低電位電圧パッド(LP)に連結されたカソード接続層(CCP)の低電位電圧電極(LE)に連結される。この時、最後の第2パッド部は、最後のゲートラインに対応する上記第3及び第4非表示領域の下側領域に形成される。
【０１４７】
複数の第1軟性回路フィルム(320)それぞれは、本発明の第1実施例による有機発光表示装置の第1軟性回路フィルム(120)と同一に構成されるものの、複数の第1軟性回路フィルム(320)のうち最初及び最後の第1パッド部に付着される最初及び最後の第1軟性回路フィルム(320)それぞれが、上記ダミー低電位電圧パッド(LP')に低電位電圧を供給するためのダミー低電位電圧供給ライン(326)をさらに含んで構成される。
【０１４８】
上記複数の第1駆動集積回路(330)それぞれは、上記複数の第1軟性回路フィルム(320)それぞれに実装されて画素回路(PC)を駆動、即ちデータライン(DL)にデータ信号を供給するものであって、前述した本発明の第1実施例による有機発光表示装置の第1駆動集積回路(130)と同一に構成される。
【０１４９】
上記複数の第2軟性回路フィルム(340)それぞれは、上記第2パッド部(PP2)に付着されて上記ダミー低電位電圧パッド(LP')とダミー低電位電圧リンク配線(LLP')を通じて低電位電圧の供給を受け、第2パッド部(PP2)を通じて複数のカソード接続部(CCP)それぞれの低電位電圧電極(LE)に低電位電圧を供給する。このために上記複数の第2軟性回路フィルム(140)それぞれには、上記第2パッド部(PP2)の低電位電圧パッド(LP)に電気的に接続される複数の低電位電圧供給ライン(142)が形成されている。
【０１５０】
複数の低電位電圧供給ライン(142)それぞれは、第2軟性回路フィルム(340)の両側、例えば上側及び下側の縁部部分に形成され、第2パッド部(PP2)の両側に形成された低電位電圧パッド(LP)を互いに連結させる。
【０１５１】
即ち、上記複数の第2軟性回路フィルム(340)のうち最初の第2軟性回路フィルム(340)に形成された複数の低電位電圧供給ライン(142)は上記ダミー低電位電圧リンク配線(LLP')から供給される低電位電圧を、最初と2番目の第2軟性回路フィルム(340)間に形成されたカソード接続部(CCP)を通じて、2番目の第2軟性回路フィルム(340)に供給する。これによって、上記ダミー低電位電圧リンク配線(LLP')に供給される低電位電圧は、複数の第2軟性回路フィルム(340)それぞれの低電位電圧供給ライン(142)を通じて複数のカソード接続部(CCP)それぞれに従属的に伝達される。
【０１５２】
上記複数の第2駆動集積回路(350)それぞれは、上記複数の第2軟性回路フィルム(340)それぞれに実装されて画素回路(PC)を駆動、即ちゲート制御信号に応じてゲート信号を生成し、ゲートライン(GL)に供給するものであって、複数の第2駆動集積回路(350)それぞれに供給されるゲート制御信号の供給方式を除いては前述した本発明の第1実施例による有機発光表示装置の第2駆動集積回路(150)と同一である。
【０１５３】
即ち、上記最初と最後の第2軟性回路フィルム(340)それぞれに実装された第2駆動集積回路(350)それぞれは、上記最初と最後の第1軟性回路フィルム(320)、上記最初と最後の第1パッド部、第1基板(12)の各縁領域に形成された複数のゲート制御信号リンク配線(図示せず)、最初と最後の第2軟性回路フィルム(340)を通じてゲート制御信号の供給を受ける。そして、上記最初と最後を除いた残りの第2軟性回路フィルム(340)に実装された第2駆動集積回路(350)それぞれは、第2パッド部(PP2)間に形成されたゲート制御信号伝送配線(図示せず)を通じて以前の軟性回路フィルム(340)からゲート制御信号の供給を受ける。
【０１５４】
第1印刷回路基板(360)は、表示パネル(310)の第1及び第2非表示領域の上記第1パッド部(PP1)に付着された上記複数の第1軟性回路フィルム(320)それぞれに電気的に接続され、上記複数の第1軟性回路フィルム(320)それぞれに高電位電圧を供給するとともに、最初と最後の第1軟性回路フィルム(320)それぞれに低電位電圧を供給する。このために上記第1印刷回路基板(360)には、第1軟性回路フィルム(320)に形成された高電位電圧供給ライン(322)に接続される高電位電圧入力ライン(362)、及び最初と最後の第1軟性回路フィルム(320)のダミー低電位電圧供給ライン(326)に接続される低電位電圧入力ライン(366)が形成されている。
【０１５５】
このような、本発明の第5実施例による有機発光表示装置は、前述した本発明の第1実施例による有機発光表示装置と同一の効果を提供するだけでなく、第1実施例による有機発光表示装置の第2印刷回路基板(170)を除去することができる。
【０１５６】
一方、前述した本発明の第2〜第4実施例による有機発光表示装置それぞれの第2印刷回路基板(170、270)も、前述した本発明の第5実施例による有機発光表示装置と同一の方法によって除去することができる。
【０１５７】
前述した図5及び図6に示されたような前述した本発明の第2実施例による有機発光表示装置それぞれにおいて、第1印刷回路基板(260)が除去される場合、第2印刷回路基板(270)は複数の第2軟性回路フィルム(240)に接続されて複数の第2軟性回路フィルム(240)に上記低電位電圧を供給し、複数の第2軟性回路フィルム(240)のうち一部と表示パネル(110)の第1基板(12)を通じて複数の第1軟性回路フィルム(220)に上記高電位電圧を供給するようになる。
【０１５８】
前述した図7及び図8に示されたような前述した本発明の第3実施例による有機発光表示装置それぞれにおいて、第1印刷回路基板(260)が除去される場合、第2印刷回路基板(270)は複数の第2軟性回路フィルム(240)に接続されて複数の第2軟性回路フィルム(240)に上記低電位電圧を供給し、複数の第2軟性回路フィルム(240)のうち一部と表示パネル(110)の第1基板(12)を通じて複数の第1軟性回路フィルム(220)に上記高電位電圧と上記低電位電圧をともに供給するようになる。
【０１５９】
前述した図9及び図10に示されたような前述した本発明の第4実施例による有機発光表示装置それぞれにおいて、第2印刷回路基板(170)が除去される場合、第1印刷回路基板(160)は複数の第1軟性回路フィルム(120)に接続されて複数の第1軟性回路フィルム(120)に上記高電位電圧と上記低電位電圧を供給し、複数の第1軟性回路フィルム(120)のうち一部と表示パネル(110)の第1基板(12)を通じて複数の第2軟性回路フィルム(140)に上記低電位電圧を供給するようになる。
【０１６０】
本発明の属する技術分野の当業者は、本発明がその技術的思想や必須的特徴を変更せずに他の具体的な形態で実施されることができるということを理解することができる。従って、上述した実施例は全ての面において例示的なものであって限定的なものではないと理解されるべきである。本発明の範囲は、上記詳細な説明よりは後述する特許請求の範囲によって表され、特許請求の範囲の意味及び範囲そしてその等価の概念から導き出される全ての変更または変形された形態が本発明の範囲に含まれるものと解釈されなければならない。
【符号の説明】
【０１６１】
110:表示パネル
120:第1軟性回路フィルム
130:第1駆動集積回路
140:第2軟性回路フィルム
150:第2駆動集積回路
160:第1印刷回路基板
170:第2印刷回路基板
【図１】
2014086413.tif 000003
【図２】
2014086413.tif 000004
【図３】
2014086413.tif 000005
【図４】
2014086413.tif 000006
【図５】
2014086413.tif 000007
【図６】
2014086413.tif 000008
【図７】
2014086413.tif 000009
【図８】
2014086413.tif 000010
【図９】
2014086413.tif 000011
【図１０】
2014086413.tif 000012
【図１１】
2014086413.tif 000013
【図１２】
2014086413.tif 000014
【図１３】
2014086413.tif 000015